(57)【要約】      （修正有）【課題】食品用包装袋を開封した後においてもラベルシートに記載された各種の情報を容易に読み取ることができる食品用包装袋を提供する。【解決手段】重なりあう表フィルム６と裏フィルム７とで袋状に形成されており一方端側に収納口１０を有する収納部４と、収納口１０とは逆端側で収納部４を封止する封止部９と、該封止部９を介して収納部４に繋がっているヘッダ部５とを備えた袋本体２を有し、且つ、前記収納部４の裏フィルム７の所定位置に定められた開封開始位置から該開封開始位置を基準にして裏フィルム７の面に沿って収納口１０側に向かった所定位置までの領域に形成された所定形状の切り込みからなる切込部３を有する食品用包装袋１であって、シート片２０の一方面側に粘着層１３を形成した粘着層形成部１７を備えた開封シール片１２が、粘着層１３を袋本体２側に向けて該袋本体２の裏フィルム７に貼付されいる。【選択図】図１
2018039515.tif 000002
【特許請求の範囲】
【請求項１】
重なりあう表フィルムと裏フィルムとで袋状に形成されており一方端側に収納口を有する収納部と、収納口とは逆端側で収納部を封止する封止部と、該封止部を介して収納部に繋がっているヘッダ部とを備えた袋本体を有し、且つ、前記収納部の裏フィルムの所定位置に定められた開封開始位置から該開封開始位置を基準にして裏フィルムの面に沿って収納口側に向かった所定位置までの領域に形成された切込部を有する食品用包装袋であって、
シート片の一方面側の所定領域に粘着面を形成した粘着層形成部を備えた開封シール片が、粘着層を袋本体側に向けて該袋本体の裏フィルムに貼付されており、
粘着層形成部の粘着面は、裏フィルムにおける切込部を含む所定領域を被覆しており、
開封シール片は、封止部に向かう方向に粘着層形成部からシート片を延設した部分で形成されるつまみ部を有する、ことを特徴とする食品用包装袋。
【請求項２】
粘着層形成部の粘着面は、裏フィルムに対して貼り剥がし自在である、ことを特徴とする請求項１に記載の食品用包装袋。
【請求項３】
切込部は、開封開始位置から収納口側に向かう方向を横切る方向に延びる切り込み構造から形成される引き裂き開始部を備え、且つ、開封開始位置から収納口側に向かう方向に沿って延びる２つの切り込み構造から形成される引き裂きガイド部を備えており、
引き裂きガイド部を形成するそれぞれの切り込み構造は、それぞれ引き裂き開始部の両端を基端として開封開始位置から収納口側に向かう方向に沿って延びるとともに互いに間隔をあけて形成されており、
引き裂きガイド部を形成する２つの切り込み構造のうちの少なくとも一方は、裏フィルムに間隔をあけて形成された複数の切れ目の列から形成されている請求項１または２に記載の食品用包装袋。
【請求項４】
切込部は、開封開始位置から収納口側に向かう方向を横切る方向に延びる切り込み構造から形成される引き裂き開始部を備え、且つ、開封開始位置から収納口側に向かう方向に沿って延びる２つの切り込み構造から形成される引き裂きガイド部を備えており、
引き裂きガイド部を形成する２つの切り込み構造は、該２つの切り込み構造の離間距離が引き裂き開始部の両端間の距離よりも長くなるように互いに所定の間隔をあけて形成され、
引き裂きガイド部を形成するそれぞれの切り込み構造の端部のうちヘッダ部に近いほうの端部を基端として開封開始位置から収納口側に向かう方向を横切る方向に延びる切り込みから形成される引き裂き受け部が形成されており、
裏フィルムの面に沿って開封開始位置から収納口側に向かう方向を下方向とする場合に、
引き裂き開始部は、引き裂きガイド部を形成する２つの切り込み構造で挟まれた領域の真上位置に形成されており、
り、
引き裂き受け部を形成する切り込みの先端が、引き裂き開始部の真下位置に形成されている請求項１または２に記載の食品用包装袋。
【請求項５】
粘着層形成部には、粘着層形成部の側縁のうち開封開始位置から収納口に向かう方向に延びる２つの側縁それぞれに対して該側縁よりも内側所定位置に、開封シール片に対して開封開始位置から収納口に向かう方向に間欠的に切れ目を加えた状態にて形成された２つの切断補助部が備えられており、
粘着層形成部の粘着面のうち２つの切断補助部で挟まれた部分で構成される内側部に形成される領域が、裏フィルムにおける切込部を含む所定領域を被覆しており、
つまみ部が、封止部に向かう方向に沿って粘着層形成部の内側部からシート片を延設した部分で形成されている、請求項１から４のいずれかに記載の食品用包装袋。
【発明の詳細な説明】
【技術分野】
【０００１】
本発明は、食品用包装袋に関する。
【背景技術】
【０００２】
略三角形状、略直方体形状や略半月柱形状等といった所定形状の外観を呈する食品には、食品用包装袋に包装された食品収納体の状態で流通されているものがある。食品用包装袋としては表フィルムと裏フィルムとで形成されたものが汎用される。略三角形状の食品とは、三角形等の所定の側面形状又は正面を有する三角柱状の外観形状を呈している食品を示しており、サンドイッチ等を例示することができる。
【０００３】
食品用包装袋に関して、その一例についてみるに、食品用包装袋は、表フィルムと裏フィルムとで形成された袋本体を備え、且つ、袋本体の所定位置に収納口を形成した袋状の収納部を形成した構造を備えている。
【０００４】
食材用包装袋において、収納口は、包装時に、例えばサンドイッチなどの略三角形状の食品などのような被包装体の出入り口をなしている。被包装体が食材用包装袋で包装された状態では、通常、収納口にて収納部に封をされた構造が形成されている。このため食材用包装袋には、開封時に収納部から被包装体を取り出すことができるように、食品用包装袋を開封するための開封手段を設けることが好適となる。開封手段としては、フィルム材等を適宜用いて帯紐状に形成されたカットテープが知られている。カットテープは、食品用包装袋をディスプレイした時に目立たないように、通常は、袋本体を構成する裏フィルムの非露出面（内面）側の所定位置に貼着される。そして、このような食品用包装袋においては、カットテープの延びる方向に沿ってカットテープに対して食品用包装袋から離れる方向に外向きの力を加えることで、裏フィルムが引き裂かれて、食品用包装袋を開封することができるようになる（例えば、特許文献１等）。
【先行技術文献】
【特許文献】
【０００５】
【特許文献１】特願２０１１−５１６４１号公報
【発明の概要】
【発明が解決しようとする課題】
【０００６】
食品用包装袋に食品を収納した食品収納体は、通常、ラベルシートが露出面（外面）側に貼付された状態で流通する。ラベルシートには、ディスプレイ時に正面となることを予定されている面内に貼付けられる表ラベルなどといった意匠性を高めるためのラベルだけではなく、ＰＯＳラベルなど重要な情報を記載したラベルシートがある。一具体例として、例えばＰＯＳラベルには、バーコードなどの販売者にとって重要な情報が記載されるだけでなく、食品収納体の製品名、製造年月日、賞味期限、製造元や成分表示などといった消費者にとって極めて重要な食品収納体の製品内容を示す情報が記載される。ＰＯＳラベルをはじめ各種のラベルシートに記載された各種の情報は、消費者において消費後においても製品内容を確認するために重要な情報であることから、食品用包装袋の開封前だけでなくその開封後においてもきわめて重要な情報である。
【０００７】
上記したような重要な情報を記載した各種のラベルシートは、表ラベルを除き、意匠性等を考慮して、通常はカットテープと同様に、ディスプレイ時に目立たないように食品用包装袋の裏フィルム内の位置に貼り付けられる。そのため、裏フィルムに貼付けられるタイプのラベルシートはカットテープに対して裏フィルムを介して重なりあうような位置に貼付けられることが多くなってしまう。
【０００８】
こうしたことから、食品用包装袋を開封するべくカットテープの延びる方向に沿ってカットテープに対して食品用包装袋から離れる方向に外向きの力を加えた際に、裏フィルムとともにラベルシートまでもが引き裂かれてしまってラベルシートに記載された各種の情報が、読み取りにくくなってしまっていた。
【０００９】
本発明は、食品用包装袋を開封した後においてもラベルシートに記載された各種の情報を容易に読み取ることができる食品用包装袋を提供することを目的とする。
【課題を解決するための手段】
【００１０】
本発明は、（１）重なりあう表フィルムと裏フィルムとで袋状に形成されており一方端側に収納口を有する収納部と、収納口とは逆端側で収納部を封止する封止部と、該封止部を介して収納部に繋がっているヘッダ部とを備えた袋本体を有し、且つ、前記収納部の裏フィルムの所定位置に定められた開封開始位置から該開封開始位置を基準にして裏フィルムの面に沿って収納口側に向かった所定位置までの領域に形成された切込部を有する食品用包装袋であって、
シート片の一方面側の所定領域に粘着面を形成した粘着層形成部を備えた開封シール片が、粘着層を袋本体側に向けて該袋本体の裏フィルムに貼付されており、
粘着層形成部の粘着面は、裏フィルムにおける切込部を含む所定領域を被覆しており、
開封シール片は、粘着層形成部からシート片を延設した部分で形成されるつまみ部を有する、ことを特徴とする食品用包装袋、
（２）粘着層形成部の粘着面は、裏フィルムに対して貼り剥がし自在である、ことを特徴とする上記（１）に記載の食品用包装袋、
（３）切込部は、開封開始位置から収納口側に向かう方向を横切る方向に延びる切り込み構造から形成される引き裂き開始部を備え、且つ、開封開始位置から収納口側に向かう方向に沿って延びる２つの切り込み構造から形成される引き裂きガイド部を備えており、
引き裂きガイド部を形成するそれぞれの切り込み構造は、それぞれ引き裂き開始部の両端を基端として開封開始位置から収納口側に向かう方向に沿って延びるとともに互いに間隔をあけて形成されており、
引き裂きガイド部を形成する２つの切り込み構造のうちの少なくとも一方は、裏フィルムに間隔をあけて形成された複数の切れ目の列から形成されている上記（１）または（２）に記載の食品用包装袋、
（４）切込部は、開封開始位置から収納口側に向かう方向を横切る方向に延びる切り込み構造から形成される引き裂き開始部を備え、且つ、開封開始位置から収納口側に向かう方向に沿って延びる２つの切り込み構造から形成される引き裂きガイド部を備えており、
引き裂きガイド部を形成する２つの切り込み構造は、該２つの切り込み構造の離間距離が引き裂き開始部の両端間の距離よりも長くなるように互いに所定の間隔をあけて形成され、
引き裂きガイド部を形成するそれぞれの切り込み構造の端部のうちヘッダ部に近いほうの端部を基端として開封開始位置から収納口側に向かう方向を横切る方向に延びる切り込みから形成される引き裂き受け部が形成されており、
裏フィルムの面に沿って開封開始位置から収納口側に向かう方向を下方向とする場合に、
引き裂き開始部は、引き裂きガイド部を形成する２つの切り込み構造で挟まれた領域の真上位置に形成されており、
り、
引き裂き受け部を形成する切り込みの先端が、引き裂き開始部の真下位置に形成されている上記（１）または（２）に記載の食品用包装袋、
（５）粘着層形成部には、粘着層形成部の側縁のうち開封開始位置から収納口に向かう方向に延びる２つの側縁それぞれに対して該側縁よりも内側所定位置に、開封シール片に対して開封開始位置から収納口に向かう方向に間欠的に切れ目を加えた状態にて形成された２つの切断補助部が備えられており、
粘着層形成部の粘着面のうち２つの切断補助部で挟まれた部分で構成される内側部に形成される領域が、裏フィルムにおける切込部を含む所定領域を被覆しており、
つまみ部が、封止部に向かう方向に粘着層形成部の内側部からシート片を延設した部分で形成されている、上記（１）から（４）のいずれかに記載の食品用包装袋、を要旨とする。
【発明の効果】
【００１１】
本発明の食品用包装袋によれば、開封シール片を袋本体から剥がす際に開封シール片に切込部が追従して袋本体を引き裂くことが可能となって開封シール片を破断させずに食品用包装袋を開封することが可能となり、開封開始位置から所定方向にも食品用包装袋を開封した後においてもＰＯＳラベルなどの裏フィルムに貼付けられるタイプのラベルシートに記載された各種の情報を容易に読み取ることができる。
【図面の簡単な説明】
【００１２】
【図１】図１は、本発明の食品用包装袋の実施例の１つを示す概略正面図である。
【図２】図２Ａは、本発明の食品用包装袋の実施例の１つにおいて袋本体を裏フィルム側から見た状態を説明するための概略模式図である。図２Ｂは、本発明の食品用包装袋の実施例の１つにおいて袋本体を表フィルム側から見た状態を説明するための概略模式図である。
【図３】図３Ａは、本発明の食品用包装袋に被包装体を収納した状態を説明するための概略背面斜視模式図である。図３Ｂは、本発明の食品用包装袋の裏フィルムを引き裂いて開封した状態を説明するための概略背面斜視模式図である。
【図４】図４Ａは、図１のＡ−Ａ線断面の状態を模式的に説明するための概略断面模式図である。図４Ｂは、図１のＢ−Ｂ線断面の状態を模式的に説明するための概略断面模式図である。
【図５】図５Ａは、食品用包装袋の袋本体の他の実施例について裏フィルム側から袋本体を見た状態を説明するための概略模式図である。図５Ｂは、食品用包装袋の袋本体の他の実施例について裏フィルム側から袋本体を見た状態を説明するための概略模式図である。
【図６】図６Ａ、図６Ｂ、図６Ｃは、いずれも、開封シール片についての他の実施例の一つを説明するための概略図であり、粘着層の形成面側から開封シール片を見た状態を模式的に示す概略模式図である。
【図７】図７Ａは、食品用包装袋が裏当てフィルム材を備える場合の一実施例について裏フィルム側から袋本体を見た状態を説明するための概略模式図である。図７Ｂは、図７ＡのＣ−Ｃ線断面の状態を模式的に説明するための概略断面模式図である。
【図８】図８Ａは、食品用包装袋の開封シール片が切断補助部を備える場合の一実施例について裏フィルム側から袋本体を見た状態を説明するための概略模式図である。図８Ｂは、食品用包装袋の開封シール片が切断補助部を備える場合の一実施例について開封シール片を模式的に説明するための概略平面模式図である。
【図９】図９Ａは、食品用包装袋の袋本体の他の実施例について裏フィルム側から袋本体を見た状態を説明するための概略模式図である。図９Ｂは、食品用包装袋の袋本体の他の実施例について、袋本体の要部を抜き出して、引き裂き開始部、引き裂き受け部及び引き裂きガイド部の位置関係を模式的に説明するための概略要部説明図である。
【発明を実施するための形態】
【００１３】
本発明についてその１つの実施例を示す各図面を参照しつつ以下に詳細に説明する。
【００１４】
本発明における食品用包装袋１は、図１等に示すように、袋本体２と袋本体２の所定位置に形成された切込部３を備える。
【００１５】
（袋本体２）
袋本体２は、図１、図２、図４等に示すように、収納部４と封止部９とヘッダ部５を備える。
【００１６】
（収納部４）
収納部４は、後述の表フィルム６と裏フィルム７とで収納部４の一方端縁に収納口１０を形成してなる袋状に形成されている。収納部４の端位置のうち収納口１０とは逆端側に位置する一方端縁については、その一方端縁に沿って形成されている封止部９で封止されている。ここで、収納口１０とは逆端側に位置する一方端縁は、収納口１０を基準にして収納部４の奥端に位置することを予定された端縁を示す。表フィルム６と裏フィルム７を互いに離す方向に力を加えられることで収納口１０が開かれた際に、収納部４は、収納口１０から奥方側（封止部９側）に向かって被包装体を収納可能な空間を形成する。
【００１７】
（封止部９）
封止部９は、収納口１０とは逆端側で収納部４の端縁となる位置として定められた位置において後述する表フィルム６と裏フィルム７の重ね合わせ体に形成される横断融着部１１にて構成される。封止部９は、収納部４とヘッダ部５とを区分する部分となっており、また、収納口１０とは逆端側で収納部４を封止する部分となっている。
【００１８】
封止部９の形成パターンは特に限定されず、図１等に示すように直線状に形成されてもよいし、曲線状に形成されてもよい（図示せず）。封止部９の幅は特に限定されず、細条状でもよいし、太帯状に形成されてもよい。
【００１９】
（ヘッダ部５）
ヘッダ部５は、封止部９を介して収納部４に繋がっている。ヘッダ部５の形状は特に限定されるものではないが、図１の例に示すように矩形状に形成されてもよいし、台形状に形成されてもよく、多角形状、半円形状等、種々の形状に形成されてよい。ヘッダ部５は、収納部４と同様に重なり合う表フィルム６と裏フィルム７とで構成されてもよいし、表フィルム６と裏フィルム７の一方のフィルム材で構成されてもよい（図示せず）。
【００２０】
（切込部３）
切込部３は、裏フィルム７に加えられた所定パターンの切り込みからなる切り込み構造で構成される。切込部３は次のようにして実現することができる。裏フィルム７の所定位置に定められる開封開始位置Ｐとその開封開始位置Ｐから収納口１０側に向かった所定位置までの領域において且つ後述する開封シール片１２の粘着層１３で被覆可能な領域内に、所定パターンの切り込みが裏フィルム７に加えられて切り込み部が形成される。そして、この切り込み部が、裏フィルム７に形成された切込部３をなす。
【００２１】
（切込部３の形成パターン）
切込部３は、図１の例では、裏フィルム面７に沿って開封開始位置Ｐから収納口１０側に向かう方向（図１中、矢印Ｆに沿った方向）を横切る方向に延びる切り込みから構成される切り込み構造で形成される引き裂き開始部１４と、収納部１０側に向かう方向Ｆに沿ってそれぞれ延びる２つの切り込み構造１５ａ、１５ｂから形成される引き裂きガイド部１５とを備えて形成されている。
【００２２】
図１では、引き裂きガイド部１５を形成するそれぞれの切り込み構造１５ａ、１５ｂは、それぞれ引き裂き開始部１４の両端１４ａ、１４ｂを基端として開封開始位置から収納口側に向かう方向Ｆに沿って延びるとともに互いに間隔をあけて形成されている。したがって図１の例では切込部３の形状は、コ字状に形成されている。
【００２３】
なお、切込部３の形状は、図１の例に限定されるものではなく、図５Ｂに示すようにＵ字状に形成されてもよいし、略円弧状に形成されてもよい。なお、開封開始位置Ｐとは、後述する開封シール片１２をつまんで矢印Ｆ方向に裏フィルム７を引きさいて食品用包装袋１を開封した場合に裏フィルム７が開封され始める（食品用包装袋１の内部が外部に露出し始める）起点となる位置を示す。矢印Ｆ方向は、裏フィルム７の引き裂かれることを予定された方向（引き裂かれ予定方向）である。
【００２４】
食品用包装袋１においては、裏フィルム７に切込部３が形成されていることで裏フィルム７を引き裂くことが容易となる。すなわち、図３Ｂに示すように、開封シール片１２のつまみ部１６をつまんでその開封シール片１２を袋本体２から剥がす方向（図３Ｂにおいて矢印Ｕ）に力を加えた際に、開封開始位置Ｐから離れる方向に裏フィルム７をスムーズに引き裂き始めることが容易となる。
【００２５】
（切込部３の第１の別形態）
切込部３について、図１の例では裏フィルム７に形成された切り込み構造は、引き裂きガイド部１５を形成する切り込み構造１５ａ、１５ｂの両方ともに引き裂き開始部１４の両端１４ａ、１４ｂを基端として所定位置まで一続きに切り込まれて形成されているが、切り込み構造１５ａ、１５ｂの少なくとも一方が、図５Ａに示すように、裏フィルム７に間隔をあけて形成された複数の切れ目の列から形成されていてもよい。図５Ａに示す例では、複数の切れ目の列が、切れ目形成部１８と切れ目非形成部１９とを交互に形成してなる構造部から構成されている場合が例示されている。また、この例では、切込部３の引き裂きガイド部１５を形成する切り込み構造１５ａ、１５ｂの両方とも、複数の切れ目の列で形成されている場合が例示されている。
【００２６】
引き裂きガイド部１５を形成する切り込み構造１５ａ、１５ｂの少なくとも一方が、複数の切れ目の列によって構成されている場合には、引き裂きガイド部１５の切れ目非形成部１９が、開封シール片１２をつまんで矢印Ｕ方向に力を加えながら矢印Ｆ方向に裏フィルム７を引きさこうとする際に、裏フィルム７の引き裂きの進行を抑える抵抗の役割を発揮する。こうしたことから、切込部３が切れ目非形成部１９を有することで、食品用包装袋１が勢いよく開封されてしまう虞を抑制することができるという効果が発揮されることとなる。なお、この効果を切り込み構造１５ａ、１５ｂにバランスよく発揮させる観点からは、図５Ａの例に示すように、切り込み構造１５ａ、１５ｂのいずれもが、裏フィルム７に間隔をあけて加えられた複数の切れ目の列から形成される構造で構成されていることが好適である。
【００２７】
（切込部３の第２の別形態）
切込部３について図９Ａ、図９Ｂに示すように、引き裂きガイド部１５を形成する切り込み構造１５ａ、１５ｂの両方ともに引き裂き開始部１４から離れた位置に形成されていてもよい。図９Ａ、図９Ｂの例では、引き裂きガイド部１５を形成する２つの切り込み構造１５ａ、１５ｂは、該２つの切り込み構造１５ａ、１５ｂの離間距離Ｇ１が引き裂き開始部１４の両端１４ａ、１４ｂ間の距離Ｇ２よりも長くなるように互いに所定の間隔をあけて形成されている。そして、引き裂き開始部１４は、引き裂きガイド部１５を形成する２つの切り込み構造１５ａ、１５ｂで挟まれた領域Ｋの真上位置に形成されて、切り込み構造１５ａ、１５ｂから離れて形成されている。ここで、切り込み構造１５ａ、１５ｂで挟まれた領域Ｋとは、裏フィルム７の面に沿って開封開始位置Ｐから収納口１０側に向かう方向（矢印Ｆ方向）に平行な方向を上下方向とし且つＦ方向を下方向とする場合に、切り込み構造１５ａの上端１５ａ１と切り込み構造１５ｂの上端１５ａ１を結ぶ直線Ｎ１（図９Ｂにおいて直線Ｎ１）、切り込み構造１５ａの下端１５ａ２と切り込み構造１５ｂの下端１５ｂ２を結ぶ直線Ｎ２（図９Ｂにおいて直線Ｎ２）、切り込み構造１５ａ、及び、切り込み構造１５ｂで囲まれた領域（図９Ｂにおいて破線で囲まれた領域Ｋ）を示す。
【００２８】
また、図９に示す例では、切込部３には、引き裂き受け部５０、５０が形成されている。引き裂き受け部５０、５０は、引き裂きガイド部１５を形成するそれぞれの切り込み構造１５ａ、１５ｂの端部のうちヘッダ部に近いほうの端部である上端１５ａ１、１５ａ２をそれぞれ基端として開封開始位置Ｐから収納口１０側に向かう方向を横切る方向に延びる切り込みから形成される。引き裂き受け部５０、５０においては、裏フィルムの面に沿って開封開始位置から収納口側に向かう方向をした方向とする場合に、引き裂き受け部５０、５０を形成する切り込みの先端５０ａが、引き裂き開始部１４の真下位置に形成されている。
【００２９】
切込部３が、図９Ａ、図９Ｂに示すように、引き裂きガイド部１５を形成する切り込み構造１５ａ、１５ｂの両方ともに引き裂き開始部１４から離れた所定の位置に形成されるとともに引き裂きガイド部１５を形成することで、開封シール片１２をつまんで矢印Ｕ方向に力を加えながら矢印Ｆ方向に裏フィルム７を引きさこうとする際に、引き裂き開始部１４の両端１４ａ、１４ｂから矢印Ｆ方向に裏フィルム７が引き裂かれて、その引き裂かれた部分の奥端がやがて引き裂きガイド部１５に到達すると、引き裂きガイド部１５に沿った裏フィルム７の引き裂きが進行することとなり、裏フィルム７の引き裂きを緩やかに且つ確実に進行させることができるようになる。
【００３０】
（開封シール片１２）
食品用包装袋１には、袋本体２の裏フィルム７に開封シール片１２が貼付されている。開封シール片１２としては、表ラベルやＰＯＳラベルなどの各種のラベルシートを挙げることができる。
【００３１】
開封シール片１２は、シート片２０の一方面側に粘着層１３を形成した粘着層形成部１７を有している。そして、開封シール片１２は、粘着層１３を袋本体２側に向けた状態且つ切込部３を被覆する状態にて袋本体２に貼付されている。したがって、粘着層形成部１７の粘着面を形成する粘着層１３は、裏フィルム７における切込部３を含む所定領域を被覆しており、食品用包装袋１においては粘着層１３の形成領域の内側に切込部３が位置していることとなる。
【００３２】
（シート片２０）
シート片２０は、粘着剤からなる粘着層１３を形成可能な材質で構成されたシートであれば特に限定されるものではなく、例えば、フィルム材、紙、コート紙等適宜選択可能である。
【００３３】
（つまみ部１６）
食品用包装袋１において、開封シール片１２は、粘着層形成部１７からシート片２０を延設した部分で形成されるつまみ部１６を有する。すなわち、図１等の例では、食品用包装袋１において、つまみ部１６は、裏フィルム７の切込部３からヘッダ部２に向かう方向に沿って粘着層形成部１７の一端縁からシート片２０を延設した部分として形成されている。つまみ部１６の大きさは、食品用包装袋１を開封しようとする者が指で摘まむことができる程度の大きさが確保されていれば特に限定されるものではない。つまみ部１６の形状についても、特に限定されず、図１の例に示すように矩形状であってもよいし、図６Ｃの例に示すように台形状であってもよい。
【００３４】
（粘着層１３）
粘着層１３は、裏フィルム７に対して貼り剥がし自在に形成された層であり粘着剤からなる層である。粘着剤としては、ＰＯＳラベルなどのラベルシートの裏面に形成される粘着剤の層を形成可能な粘着剤を適宜選択可能であり、例えば、ウレタン系粘着剤、アクリル系粘着剤、シリコーン系粘着剤などを適宜用いることができる。
【００３５】
（粘着層１３の形状）
開封シール片１２において、粘着層１３の形状は、特に限定されるものではない。図１の例では、矩形状に形成されており、図６Ｃの例では、６角形状に形成されている。また、開封シール片１２において、粘着層形成部１７とつまみ部１６との境界部２１の輪郭形状は、図１の例では直線状に形成されているが、これ限定されない。図６Ａ、図６Ｂに示すように、粘着層形成部１７とつまみ部１６との境界部２１の輪郭形状が、開封シール片１２の平面視上、粘着層形成部１７からつまみ部１６に向かって突出した凸型形状を呈するように形成されていてもよい。粘着層形成部１７とつまみ部１６との境界部２１の輪郭形状が、図６Ａに示すようになだらかな弧を描く形状に形成されてもよいし、図６Ｂの例に示すように、山形形状に形成されてもよい。粘着層１３が、粘着層形成部１７とつまみ部１６との境界部２１の輪郭形状が凸型形状を呈するように形成されていることで、図３Ａ、図６Ｂに示すように、つまみ部１６を摘まんで開封シール片１２を矢印Ｕ方向に引き剥がす場合に、スムーズに開封シール片１２を引き剥がすことが可能となる。なお、開封シール片１２の平面視上とは、開封シール片１２の厚み方向に沿った方向を視線方向とした見た場合を示す。
【００３６】
（開封シール片１２の大きさ）
開封シール片１２の大きさは、粘着層１３で切込部３を被覆することが可能な大きさであれば特に上限を限定されるものではないが、開封シール片１２の幅寸法（図１中、符号Ｗｋ）がヘッダ部５の幅（図１中、符号Ｗｈ）よりも狭い値となるような大きさであることが好ましい。ヘッダ部５の幅は、図３Ａに示すように食品用包装袋１に被包装体２２（２２ａ、２２ｂ、２２ｃ）を収納して食品収納体３０を調製した際に、その食品収納体３０の幅に一致することが多いことから、ヘッダ部５の幅よりも開封シール片１２の幅寸法が大きい場合には食品収納体３０の背面部３０ａに開封シール片１２が収まりきらなくなって食品収納体３０の側面部３０ｂ、３０ｃ側まで開封シール片１２の側端部が入り込んでしまい食品収納体３０の見栄えが損なわれる虞が生じてしまう。
【００３７】
（開封シール片１２の外観輪郭形状）
開封シール片１２の外観輪郭形状は、図１の例では矩形状に形成されているが、この形状に特に限定されるものでない。例えば、開封シール片１２は、図６Ａ、図６Ｃの例に示すような６角形の形状に形成されてもよい。
【００３８】
（粘着層形成部１７により裏フィルム７面が被覆される領域及び裏フィルム７への配置）
粘着層形成部１７による裏フィルム７面の被覆領域は、切込部３を被覆するような領域となっていれば特に限定されるものでない。裏フィルム７粘着層形成部１７の配置については、図１等に示すように粘着層形成部１７が封止部９を跨がないように（こえないように）切込部３を被覆するように裏フィルム７面上に配置されていることが、食品収納体３０において裏フィルム７を引き裂いた後にも封止部３の構造が維持される観点では好ましい。なお、ヘッダ部５のコシを更に強化する観点からは、粘着層形成部１３が封止部３をこえてヘッダ部５の一部領域を更に被覆していてもよい。この場合、開封シール片１２は、ヘッダ部５の一部領域まで被覆することとなる。
【００３９】
（表フィルム６と裏フィルム７）
図１の例では、袋本体２を構成する収納部４とヘッダ部５と封止部９のいずれについても表フィルム６と裏フィルム７から形成される。なお、裏フィルム７は、切込部３の形成を予定されているほうのフィルム材であり、表フィルム６は、切込部３を形成されないほうのフィルム材である。また、表フィルム６は、食品用包装袋１に被包装体２２を収納してなる食品収納体３０をディスプレイする場合に、食品収納体３０の背面部３０ａを構成しないほうのフィルム材である。裏フィルム７は、食品用包装袋に被包装体を収納してなる包装品をディスプレイする場合に、食品収納体３０の正面部３０ｄを構成しないほうのフィルム材である。
【００４０】
（表フィルム６と裏フィルム７の形状）
表フィルム６と裏フィルム７は、三角形、四角形等、被包装物の形状等に応じて適宜選択されてよく、特に限定されるものではない。図１、図２の例では、表フィルム６と裏フィルム７は、いずれも台形の形状を呈した部分（フィルム部分Ｙ）と該部分Ｙの上底側にその上底に対して一辺を共有する矩形の形状を呈した部分（フィルム部分Ｘ）をあわせるとともにフィルム部分Ｙの下底側に下底を共有する台形の形状を呈した部分（フィルム部分Ｚ）をあわせた多角形状（図１の例では８角形状）のフィルムとして形成されている。表フィルムを構成するフィルム部分Ｙ（Ｙｆ）は、裏フィルムを構成するフィルム部分Ｙ（Ｙｂ）と同形状に形成されており、表フィルムを構成するフィルム部分Ｘ（Ｘｆ）、フィルム部分Ｚ（Ｚｆ）は、それぞれ裏フィルムを構成するフィルム部分Ｘ（Ｘｂ）、フィルム部分Ｚ（Ｚｂ）よりも高さの点で、それぞれやや小さい形状に形成されている。ここに、フィルム部分Ｘ、Ｚのそれぞれの高さは、フィルム部分Ｙに接触する位置を基端として、それぞれフィルム部分Ｘ、Ｚの先端までの離間距離を示す。
【００４１】
表フィルム６と裏フィルム７の材質は、いずれも食品用包装袋１に使用可能な樹脂材料より選択されていれば、特に限定されるものではなく、目的に応じて適宜選択可能である。具体的には、表フィルム６と裏フィルム７の材質としては、ポリエチレン系樹脂材料、ポリプロピレン系樹脂材料などのオレフィン系樹脂材料等を例示することができる。
【００４２】
表フィルム６と裏フィルム７の種類は、特に限定されるものではなく、無延伸フィルムや延伸フィルムを用いられてよいが、少なくとも裏フィルム７は一軸延伸フィルムであることが好ましい。この場合、裏フィルム７が、開封開始位置Ｐから収納口１０側に向かう方向（図１において矢印Ｆ方向）が延伸方向となるように構成されていることが好適である。これは、矢印Ｆ方向と延伸方向が一致することから、裏フィルム７を矢印Ｆ方向に引き裂くことが容易となるためである。
【００４３】
また、食品用包装袋１の裏フィルム７が一軸延伸フィルムである場合においては、切込部が引き裂きガイド部１５を有している場合に、引き裂きガイド部１５を構成する２つの切り込み構造１５a、１５ｂそれぞれが一軸延伸フィルムの延伸方向に沿ってのびているように構成されていることが、裏フィルム７を矢印Ｆ方向に引き裂くことを容易とする観点からは好適である。
【００４４】
（切断補助部４５）
開封シール片１２の粘着層形成部１７には、図８Ａに示すように、開封開始位置Ｐから収納口１０に向かう方向（矢印Ｆ方向）に延びる側縁４８よりも内側（開封シール片１２中央寄り）所定位置に、切断補助部４５が備えられていることが好ましい。
【００４５】
粘着層形成部１７には、図８Ａ、図８Ｂに示すように、矢印Ｆ方向に延びる２つの側縁４８ａ、４８ｂがあるが、それぞれの側縁４８ａ、４８ｂに対してそれぞれその側縁４８ａ、４８ｂよりも内側所定位置に、切断補助部４５、４５が備えられていることが好ましい。このとき、粘着層形成部１７には、２つの切断補助部４５、４５で挟まれた内側部分で構成される内側部４６と、切断補助部４５、４５で挟まれた部分の外側で構成される外側部４７、４７に区画される。２つの切断補助部４５、４５の形成位置については、粘着層形成部１７の粘着層１３のうち内側部４６に対応する部分が、裏フィルム７における切込部３を含む所定領域を被覆しているように、切断補助部４５、４５の形成位置が定められている。また、図８Ａの例では、つまみ部１６は、封止部９に向かう方向に粘着層形成部１７の内側部４６からシート片２０を延設した部分で形成される。
【００４６】
それぞれの切断補助部４５、４５は、開封シール片１２の外周端縁上の位置且つ粘着層形成部１７とつまみ部１６との境界位置（図８中、位置Ｊ１、Ｊ２）をそれぞれ起点として、開封シール片１２に対して矢印Ｆ方向に間隔をあけて複数の切れ目を加えた状態となって切り込み部と非切り込み部が交互に並ぶ状態（ミシン目状の状態）にて形成されている。
【００４７】
食品用包装袋１において開封シール片１２の粘着層形成部１７に切断補助部４５が形成されていると、つまみ部１６をつまんで開封シール片１２を裏フィルム７から剥がす方向に力を加えた場合に、切断補助部４５に沿って開封シール片１２が引き裂かれ、開封シール片１２の内側部４６がつまみ部１６とともに食品用包装袋１から剥がされる。これに伴い、裏フィルム７のうち内側部４６に対応する粘着層１３の部分に対して粘着している部分が、切込部３から引き裂かれる。その一方で、切断補助部４５に沿って開封シール片１２が引き裂かれても、外側部４７のほうは、裏フィルム７に粘着した状態を維持する。そして、外側部４７が裏フィルム７に粘着した状態を維持することで、外側部４７は裏フィルム７のうち引き裂かれた部分が大きく広がり過ぎないように引き裂き方向を制約する引き裂きガイド補助部として機能するようになる。
【００４８】
なお、より確実に外側部４７に引き裂きガイド補助部としての機能を発揮させるためには、開封シール片１２が確実に切断補助部４５に沿って引き裂かれることが重要となる。この観点から、切断補助部４５の起点となる開封シール片１２の外端縁部Ｊ１，Ｊ２の位置には、切り込みが形成されていることが好適である。
【００４９】
（裏当て開封補助材４０）
食品用包装袋１には、図７Ａ、図７Ｂの例に示すように、袋本体２の裏フィルム７側且つ内面側（非露出面側）に裏当て開封補助材４０が取り付けられていてもよい。裏当て開封補助材４０は、取り扱い容易性及び取付容易性の観点から、樹脂製の帯状フィルム材から構成されていることが好適である。裏当て開封補助材４０の材質は特に限定されず、例えば裏フィルムや表フィルムとして利用可能な材質を適宜選択可能である。裏当て開封補助材４０は、裏フィルム７の平面視上、開封開始位置Ｐよりも収納口１０側の所定位置（矢印Ｆ方向に開封開始位置Ｐからやや離れた位置）に配置されており、切込部３に対して矢印Ｆ方向にやや離間した位置に配置されている。裏フィルム７のフィルム面に沿って矢印Ｆ方向に対して直交する方向についての開封補助材４０の配置に関しては、切込部３が引き裂きガイド部１５を有している場合には、開封補助材４０は、引き裂きガイド部１５を構成する２つの切り込み構造１５a、１５ｂの間に配置されている。裏当て開封補助材４０の幅寸法（図７中、符号Ｗｇ）は、特に限定されるものではないが、切込部３の幅寸法（図１中、符号Ｗｓ）とほぼ同じかやや狭い値となるような大きさであることが好適である。食品用包装袋１に裏当て開封補助材４０が設けられていると、切込部３から矢印Ｆ方向に裏フィルム７を引き裂く際、開封シール片１２とともに引き裂いた裏フィルム７の部分が収納口１０まで到達する前にちぎれてしまうことを抑止することができるようになり、ガイドフィルム４０の延びる方向に沿って裏フィルム７をより確実に引き裂くことが容易となる。
【００５０】
また、裏当て開封補助材４０の延びる方向は、矢印Ｆ方向に一致していることがより好ましい。この場合、食品用包装袋１に裏当て開封補助材４０が設けられていると、切込部３から矢印Ｆ方向に裏フィルム７をより確実に引き裂くことが容易となる。
【００５１】
裏当て開封補助材４０を裏フィルム７に取り付けるための方法は、特に限定されず、接着剤による取付方法のほか、熱融着などの溶着法による取付方法であってもよい。裏当て開封補助材４０を裏フィルムに熱融着法で取り付ける場合、図７の例に示すように、裏当て開封補助材の延びる方向に沿ってのびる裏当て開封補助材側端縁部４２，４２において線状に溶着法を施して裏当て材融着部４１，４１を形成することが、裏当て材融着部４１，４１の位置でよりコシの強い部分を形成することができるとともに、裏当て材融着部４１，４１に沿って裏フィルム７を引き裂くことが容易となる点で好適である。
【００５２】
食品用包装袋１は、例えば次のように調製することができる。
【００５３】
（袋本体２の調製）
まず、裏フィルム７のフィルム部分Ｙｂの予め定められた開封開始位置Ｐから所定の位置までの領域内に切り込みが加えられて切込部３が形成される。次に、表フィルム６と裏フィルム７を重ね合わせて重ね合わせ体を形成する。次に、重ね合わせ体において表フィルム６と裏フィルム７とが互いに重なり合う両側縁のうち、表フィルム６のフィルム部分Ｙｆと裏フィルムのフィルム部分Ｙｂの側縁で互いに融着されて、図１，図２に示すような２つの側縁融着部８ａ、８ｂが形成される。このとき、表フィルム６のフィルム部分Ｘｆと裏フィルム７のフィルム部分Ｘｂの側縁で互いに融着されて２つの上側側縁融着部３８、３８が形成されてもよい。表フィルム６のフィルム部分Ｚｆと裏フィルム７のフィルム部分Ｚｂの側縁では互いに融着を行わないことが好適である。次に、表フィルム６と裏フィルム７がフィルム部分Ｙとフィルム部分Ｘの境界に沿って一方の側縁融着部８ａ側から他方の側縁融着部８ｂ側まで表フィルム６と裏フィルム７のフィルム面を横断するように融着されて横断融着部１１が形成される。この横断融着部１１が封止部９をなす。このとき、表フィルム６のフィルム部分Ｙと裏フィルム７のフィルム部分Ｙと封止部９と側縁融着部８ａ、８ｂとで袋状の収納部４が形成される。収納部４は、フィルム部分Ｙとフィルム部分Ｚの境界側で開口しており、この開口が収納口１０をなす。また、このとき、表フィルム６のフィルム部分Ｘと裏フィルム７のフィルム部分Ｘで、ヘッダ部５が形成されている。こうして袋本体１が形成される。なお、表フィルム６と裏フィルム７それぞれのフィルム部分Ｚは、収納口１０から延設されたフィルム部分である延設部２３となる。
【００５４】
なお、ヘッダ部５は、上側側縁融着部３８、３８を形成されていると、コシの強い部分となる。よりヘッダ部５のコシを高めるためには、フィルム６のフィルム部分Ｘと裏フィルム７のフィルム部分Ｘの重なりあう領域内部でも互いに融着されていることが好ましい（図示せず）。
【００５５】
（開封シール片１２の貼付）
袋本体２には、裏フィルム７のフィルム部分Ｙに開封シール片１２が貼付けられる。開封シール片１２は、つまみ部１６のほうが粘着層形成部１７よりも封止部９に近い位置となるように配置される。そして開封シール片１２は、粘着層形成部１７で切込部３を被覆するようにして粘着層１３を裏フィルム７に押し当てることで貼付けられる。こうして食品用包装袋１が調製される。
【００５６】
（食品用包装袋１の使用と効果）
食品用包装袋１は例えば図３Ａ等の例に示すような食品収納体３０を調製するために使用される。食品収納体３０は例えば次のように調製できる。食品用包装袋１の収納口１０を開いて被包装物２２を収納部４に収容する。このとき被包装物２２としては、略三角形状に形成されたサンドイッチや三角形状のカステラなどの略三角形状の食品を例示することができる。被包装物２２が収納部４内に収容された後、表フィルム６と裏フィルム７それぞれのフィルム部分Ｚである延設部２３、２３が、それぞれ折りたたまれて折り畳み状態とされるとともに折り畳まれた延設部２３が底面部３０ｅを形成する。このとき、収納口がふさがれる。底面部３０ｅには必要に応じてシール材などが貼付され、表フィルム６の延設部２３と裏フィルム７の延設部２３の折り畳み状態が容易に開放されないようにされる。こうして、図３Ａに示すように食品用包装袋１に被包装物２２を収納した食品収納体３０が形成される。
【００５７】
食品収納体３０は、開封時においては、図３Ｂに示すように、開封シール片１２を矢印Ｕ方向に引き剥がす。このとき、開封シール片１２につまみ部１６が形成されていることからつまみ部１６をつまむことで開封シール片１２に対して矢印Ｕ方向に力を加えることができるようになる。そして開封シール片１２を引き剥すに伴い、裏フィルム７のうち切込部３が開封シール片１２に追従し、開封シール片１２を矢印Ｕ方向に更に移動させることで、裏フィルム７が底面部３０ｅ側に向かう方向（矢印Ｆ方向）に引き裂かれる。こうして食品収納体３０は開封される。なお、開封シール片１２の境界部２１が凸状形状をなしている場合においては、開封シール片１２を更に引き剥がすために要する力を徐々に大きくしながら開封シール片１２の引き剥がしを進めることができるようになり、よりスムーズに開封シール片１２を引き剥がすことが可能となり、食品収納体３０をよりスムーズに開封することができるようになる。
【００５８】
また、本発明の食品用包装袋１を使用した食品収納体３０によれば、開封後、開封された部分を再び開封シール片１２で蓋をすることができる。すなわち、矢印Ｕ方向とは逆向きに開封シール片１２を移動させて、開封シール片１２を裏フィルム７に貼付けることで、開封された部分に対して再び蓋をすることができる。
【符号の説明】
【００５９】
１  食品用包装袋
２  袋本体
３  切込部
４  収納部
５  ヘッダ部
６  表フィルム
７  裏フィルム
８  側縁融着部
９  封止部
１０  収納口
１１  横断融着部
１２  開封シール片
１３  粘着層
１４  引き裂き開始部
１５  引き裂きガイド部
１５ａ、１５ｂ  引き裂きガイド部を形成する切り込み構造
１６  つまみ部
１７  粘着層形成部
１８  切れ目形成部
１９  切れ目非形成部
２０  シート片
２１  境界部
２２  被包装体
２３  延設部
３０  食品収納体
３０ａ  食品収納体の背面部
３０ｂ、３０ｃ  食品収納体の側面部
３０ｄ  食品収納体の正面部
３０ｅ  食品収納体の底面部
３８  上側側縁融着部
４０  裏当て開封補助材
４１  裏当て材融着部
４２  裏当て開封補助材の側端縁部
４５  切断補助部
４６  内側部
４７  外側部
４８、４８ａ、４８ｂ  粘着層形成部の側縁
５０  引き裂き受け部
５０ａ  引き裂き受け部を形成する切り込みの先端
【図１】
2018039515.tif 000003
【図２】
2018039515.tif 000004
【図３】
2018039515.tif 000005
【図４】
2018039515.tif 000006
【図５】
2018039515.tif 000007
【図６】
2018039515.tif 000008
【図７】
2018039515.tif 000009
【図８】
2018039515.tif 000010
【図９】
2018039515.tif 000011